(57)【特許請求の範囲】
【請求項１】
ワイヤレス通信のための方法であって、
基地局において端末の実際の受信信号品質を判断することと、
前記基地局の送信電力レベルと基準送信電力レベルとに基づいて仮想雑音指数を判断することと、
前記実際の受信信号品質と前記基地局の前記仮想雑音指数とに基づいて電力制御コマンドを生成することと、
前記電力制御コマンドを前記端末に送信することと
を備える方法。
【請求項２】
公称信号品質しきい値と、前記仮想雑音指数と、前記実際の受信信号品質とに基づいて、仮想受信信号品質しきい値を判断することをさらに備え、
前記電力制御コマンドは、前記実際の受信信号品質と前記仮想受信信号品質しきい値とを比較することによって生成される、請求項１に記載の方法。
【請求項３】
前記実際の受信信号品質を前記判断することが、前記端末の信号対雑音比（ＳＮＲ）、キャリアオーバサーマル（ＣｏＴ）またはキャリア対干渉比（Ｃ／Ｉ）を前記基地局において判断することを備える、請求項１に記載の方法。
【請求項４】
ワイヤレス通信のための装置であって、
基地局において端末の実際の受信信号品質を判断するための手段と、
前記基地局の送信電力レベルと基準送信電力レベルとに基づいて仮想雑音指数を判断するための手段と、
前記実際の受信信号品質と前記基地局の前記仮想雑音指数とに基づいて電力制御コマンドを生成するための手段と、
前記電力制御コマンドを前記端末に送信するための手段と
を備える装置。
【請求項５】
公称信号品質しきい値と、前記仮想雑音指数と、前記実際の受信信号品質とに基づいて、仮想受信信号品質しきい値を判断するための手段をさらに備え、
前記電力制御コマンドは、前記実際の受信信号品質と前記仮想受信信号品質しきい値とを比較することによって生成される、請求項４に記載の装置。
【請求項６】
前記受信信号品質を判断するための前記手段が、前記端末の信号対雑音比（ＳＮＲ）、キャリアオーバサーマル（ＣｏＴ）またはキャリア対干渉比（Ｃ／Ｉ）を前記基地局において判断するための手段を備える、請求項４に記載の装置。
【請求項７】
ワイヤレス通信のための方法であって、
サービング基地局の仮想雑音指数を示す情報を受信することと、
前記サービング基地局の前記仮想雑音指数に基づいてオフセットを判断することと、
第２のチャネルの第２の送信電力レベルと前記オフセットとに基づいて第１のチャネルの送信電力レベルを設定することと
を備える方法。
【請求項８】
前記仮想雑音指数は、雑音指数デルタと実際の雑音指数とに基づいて、前記サービング基地局において計算され、前記雑音指数デルタは、ダウンリンクハンドオフ境界とアップリンクハンドオフ境界とのバランスをとるために使用される、請求項７に記載の方法。
【請求項９】
前記サービング基地局から電力制御コマンドを受信することと、
前記電力制御コマンドに基づいて端末の送信電力レベルを調整することとをさらに備える、請求項７に記載の方法。
【請求項１０】
前記サービング基地局の前記仮想雑音指数を示す前記情報が、前記サービング基地局の前記仮想雑音指数または前記サービング基地局の前記仮想雑音指数の変化を備える、請求項７に記載の方法。
【請求項１１】
前記第１のチャネルの前記送信電力レベルを前記設定することが、
前記受信された情報に基づいて前記サービング基地局の前記仮想雑音指数の変化を判断することと、
前記サービング基地局の前記仮想雑音指数の前記変化に基づいて前記第１のチャネルの前記送信電力レベルを調整することと
を備える、請求項７に記載の方法。
【請求項１２】
前記第１のチャネルの前記送信電力レベルを前記設定することが、
前記受信された情報に基づいて前記サービング基地局の前記仮想雑音指数の変化を判断することと、
前記サービング基地局の前記仮想雑音指数が劣化した場合は前記第１のチャネルの前記送信電力レベルを増加させることと、
前記サービング基地局の前記仮想雑音指数が改善された場合は前記第１のチャネルの前記送信電力レベルを減少させることと
を備える、請求項７に記載の方法。
【請求項１３】
ワイヤレス通信のための装置であって、
基地局において端末の実際の受信信号品質を判断する手段と、
前記基地局の送信電力レベルと基準送信電力レベルとに基づいて仮想雑音指数を判断する手段と、なお、前記仮想雑音指数は、実際の雑音指数と雑音指数デルタと含む、
公称信号品質しきい値と、前記仮想雑音指数と、前記実際の雑音指数とに基づいて、仮想受信信号品質しきい値を判断する手段と、
前記基地局の前記実際の受信信号品質と前記仮想受信信号品質しきい値とに基づいて電力制御コマンドを生成する手段と、
前記電力制御コマンドを前記端末に送信する手段と
を備える装置。
【請求項１４】
基地局において端末の実際の受信信号品質を判断することを少なくとも１つのコンピュータに行わせるためのコードと、
前記基地局の送信電力レベルと基準送信電力レベルとに基づいて仮想雑音指数を判断することを少なくとも１つのコンピュータに行わせるためのコードと、
前記実際の受信信号品質と前記基地局の前記仮想雑音指数とに基づいて電力制御コマンドを生成することを少なくとも１つのコンピュータに行わせるためのコードと、
前記電力制御コマンドを前記端末に送信することを少なくとも１つのコンピュータに行わせるためのコードと
を備える、ワイヤレス通信のためのコンピュータ可読記録媒体。
【請求項１５】
ワイヤレス通信のための装置であって、
サービング基地局の仮想雑音指数を示す情報を受信する手段と、
前記サービング基地局の前記仮想雑音指数に基づいてオフセットを判断する手段と、
第２のチャネルの第２の送信電力レベルと前記オフセットとに基づいて第１のチャネルの送信電力レベルを設定する手段と
を備える装置。
【請求項１６】
ワイヤレス通信のための装置であって、
サービング基地局の仮想雑音指数を示す情報を受信し、
前記サービング基地局の前記仮想雑音指数に基づいてオフセットを判断し、
第２のチャネルの第２の送信電力レベルと前記オフセットとに基づいて第１のチャネルの送信電力レベルを設定するように構成された少なくとも１つのプロセッサ
を備える装置。
【請求項１７】
サービング基地局の仮想雑音指数を示す情報を受信することを少なくとも１つのコンピュータに行わせるためのコードと、
前記サービング基地局の前記仮想雑音指数に基づいてオフセットを判断することを少なくとも１つのコンピュータに行わせるためのコードと、
第２のチャネルの第２の送信電力レベルと前記オフセットとに基づいて第１のチャネルの送信電力レベルを設定することを少なくとも１つのコンピュータに行わせるためのコードと
を備える、ワイヤレス通信のためのコンピュータ可読記録媒体。
【請求項１８】
前記仮想受信信号品質しきい値を判断することが、仮想信号対雑音比（ＳＮＲ）しきい値、仮想キャリアオーバサーマル（ＣｏＴ）しきい値、または仮想キャリア対干渉比（Ｃ／Ｉ）しきい値のうちの少なくとも１つを判断することを備える、請求項２に記載の方法。
【請求項１９】
前記仮想受信信号品質しきい値を判断するための手段が、仮想信号対雑音比（ＳＮＲ）しきい値、仮想キャリアオーバサーマル（ＣｏＴ）しきい値、または仮想キャリア対干渉比（Ｃ／Ｉ）しきい値のうちの少なくとも１つを判断するための手段を備える、請求項５に記載の装置。
【請求項２０】
前記仮想雑音指数は、雑音指数デルタと実際の雑音指数とに基づいて、前記サービング基地局において計算され、前記雑音指数デルタは、ダウンリンクハンドオフ境界とアップリンクハンドオフ境界とのバランスをとるために使用される、請求項１５に記載の装置。
【発明の詳細な説明】
【技術分野】
【０００１】
本出願は、本発明の譲受人に譲渡され、参照により本明細書に組み込まれる、２００８年５月１５日に出願された「VIRTUAL NOISE FIGURE DEGRADATION IN HETEROGENEOUS NETWORKS」と題する米国仮出願第６１／０５３，６０８号の優先権を主張する。
【０００２】
本開示は、一般に通信に関し、より詳細には、ワイヤレス通信ネットワークにおいてサービング基地局を選択し、他の機能を実行するための技法に関する。
【背景技術】
【０００３】
ワイヤレス通信ネットワークは、ボイス、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかの端末の通信をサポートすることができるいくつかの基地局を含む。端末は、任意の所与の瞬間において、０個あるいはそれより多くの基地局のカバレージ内に存在することができる。複数の基地局が利用可能な場合は、ネットワーク容量を向上させながら、端末に対する良好なパフォーマンスが達成できるように、端末にサービスする適切な基地局を選択することが望ましい。
【発明の概要】
【０００５】
ワイヤレス通信ネットワークにおいて様々な機能のために仮想雑音指数を使用するための技法について、本明細書で説明する。仮想雑音指数は、受信機における仮想雑音レベルの表示であり、熱雑音レベルに対する仮想雑音レベルの比によって与えられる。仮想雑音レベルは、受信機における実際の雑音レベルよりも高い可能性がある仮定的雑音レベルである。仮想雑音指数は、様々な機能のために使用でき、特に、様々な送信電力レベルを有する基地局をもつ異種ネットワークにおいて適用可能である。
【０００６】
一態様では、端末のサービング基地局の選択のために仮想雑音指数を使用することができる。端末は、少なくとも１つの基地局の各々の仮想雑音指数を示す情報を受信することができる。仮想雑音指数を示す情報は、基地局の仮想雑音指数を判断するために使用できる任意の情報とすることができる。そのような情報は、たとえば、基地局の仮想雑音指数、実際の雑音指数、雑音指数デルタ、実際の送信電力レベル、仮想送信電力レベル、および／または他のパラメータを備えることができる。各基地局の仮想雑音指数は、その基地局の実際の送信電力レベルまたは仮想送信電力レベルと、基準送信電力レベルと、基地局の実際の雑音指数とに基づいて判断できる。端末は、少なくとも１つの基地局の各々の仮想雑音指数に基づいてサービング基地局を選択することができる。１つの設計では、端末は各基地局のダウンリンク受信信号強度を判断する。端末はまた、各基地局の仮想雑音指数と他の情報とに基づいてその基地局のアップリンク信号対雑音比（ＳＮＲ）を判断する。次いで、端末は、各基地局のアップリンクＳＮＲとダウンリンク受信信号強度とに基づいてサービング基地局を選択する。端末はまた、基地局の実際の雑音指数に基づいてサービング基地局のアップリンクＳＮＲを判断する。次いで、端末は、サービング基地局のアップリンクＳＮＲに基づいてレートを選択し、選択されたレートでデータをサービング基地局に送信する。
【０００７】
別の態様では、干渉管理のために仮想雑音指数を使用することができる。基地局は、基地局におけるローディング（loading）を示すパラメータを判断することができる。パラメータは、干渉オーバサーマル（ＩｏＴ）、ライズオーバサーマル（ＲｏＴ）などとすることができる。基地局は、基地局におけるローディングを示すパラメータと基地局の仮想雑音指数とに基づいてローディングインジケータを判断することができる。１つの設計では、基地局は、仮想雑音指数に基づいてしきい値を判断し、パラメータをしきい値と比較し、比較結果に基づいてローディングインジケータを設定する。基地局は、ローディングインジケータを端末に送信し（たとえば、ブロードキャストし）、端末は、ローディングインジケータに基づいて端末の送信電力レベルを調整する。
【０００８】
さらに別の態様では、電力制御のために仮想雑音指数を使用することができる。基地局は端末の受信信号品質を判断する。基地局は、端末の受信信号品質と基地局の仮想雑音指数とに基づいて電力制御コマンドを生成する。基地局は電力制御コマンドを端末に送信し、端末はそれに応じて端末の送信電力レベルを調整する。
【０００９】
本開示の様々な態様および特徴について以下でさらに詳細に説明する。
【図面の簡単な説明】
【００１０】
【図１】ワイヤレス通信ネットワークを示す図。
【図２Ａ】２つの基地局からのダウンリンク送信を示す図。
【図２Ｂ】２つの基地局へのアップリンク送信を示す図。
【図３】サービング基地局を選択するためのプロセスを示す図。
【図４】サービング基地局を選択するための装置を示す図。
【図５】サービング基地局選択をサポートするためのプロセスを示す図。
【図６】サービング基地局選択をサポートするための装置を示す図。
【図７】干渉管理を実行するためのプロセスを示す図。
【図８】干渉管理を実行するための装置を示す図。
【図９】基地局によって電力制御を実行するためのプロセスを示す図。
【図１０】基地局によって電力制御を実行するための装置を示す図。
【図１１】端末によって電力制御を実行するためのプロセスを示す図。
【図１２】端末によって電力制御を実行するための装置を示す図。
【図１３】端末および基地局のブロック図。
【発明を実施するための形態】
【００１１】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用できる。用語「ネットワーク」と「システム」とは、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ  ＣＤＭＡ（ＷＣＤＭＡ）およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（GSM（登録商標））などの無線技術を実装することができる。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびGSM（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる組織からの文書に記載されている。本明細書で説明する技法は、上記のワイヤレスネットワークおよび無線技術、ならびに他のワイヤレスネットワークおよび無線技術に使用できる。
【００１２】
図１に、いくつかの基地局と他のネットワークエンティティとを含むワイヤレス通信ネットワーク１００を示す。簡単のために、図１には、２つの基地局１２０および１２２と１つのネットワークコントローラ１３０とのみを示してある。基地局は、端末と通信する局とすることができ、アクセスポイント、ノードＢ、拡張ノードＢ（ｅＮＢ）などとも呼ばれる。基地局は特定の地理的エリアに通信カバレージを与えることができる。「セル」という用語は、この用語が使用される状況に応じて、このカバレージエリアにサービスしている基地局および／または基地局サブシステムのカバレージエリアを指すことがある。基地局は、１つまたは複数（たとえば、３つ）のセルにサービスすることができる。
【００１３】
基地局は、マクロセル、ピコセル、フェムトセル、または何らかの他のタイプのセルに通信カバレージを与えることができる。マクロセルは、比較的大きい地理的エリア（たとえば、半径数キロメートル）をカバーし、サービスに加入している端末の通信をサポートすることができる。ピコセルは、比較的小さい地理的エリアをカバーし、サービスに加入しているすべての端末の通信をサポートすることができる。フェムトセルは、比較的小さい地理的エリア（たとえば、家庭）をカバーし、フェムトセルとの関連を有する端末（たとえば、家庭の居住者に属する端末）の通信をサポートすることができる。マクロセルの基地局はマクロ基地局と呼ばれることがある。ピコセルの基地局はピコ基地局と呼ばれることがある。フェムトセルの基地局はフェムト基地局と呼ばれることがある。サービング基地局は、ダウンリンクおよび／またはアップリンク上で端末にサービスするように指定された基地局である。
【００１４】
ネットワークコントローラ１３０は、基地局のセットに結合し、これらの基地局の調整および制御を行うことができる。ネットワークコントローラ１３０は、基地局１２０および１２２とバックホール（backhaul）を介して通信することができる。また、基地局１２０と１２２とは、たとえば、直接またはワイヤレスバックホールまたはワイヤラインバックホールを介して間接的に、互いに通信することができる。
【００１５】
端末１１０は、ワイヤレスネットワーク１００によってサポートされる多くの端末のうちの１つとすることができる。端末１１０は、固定でも移動でもよく、アクセス端末（ＡＴ）、移動局（ＭＳ）、ユーザ機器（ＵＥ）、加入者ユニット、局などと呼ばれることもある。端末１１０は、セルラー電話、携帯情報端末（ＰＤＡ）、ワイヤレスモデム、ワイヤレス通信デバイス、ハンドヘルドデバイス、ラップトップコンピュータ、コードレス電話などとすることができる。端末１１０は、ダウンリンクおよびアップリンクを介して基地局と通信することができる。ダウンリンク（または順方向リンク）とは、基地局から端末への通信リンクを指し、アップリンク（または逆方向リンク）とは、端末から基地局への通信リンクを指す。
【００１６】
ワイヤレスネットワーク１００では、ハンドオフまたは初期アクセス中に、ダウンリンクおよびアップリンク受信信号強度（ＲＳＳ）測定値に基づいて、端末のサービング基地局を選択することができる。受信信号強度は、受信電力、受信パイロット電力、パイロット強度などと呼ばれることもある。基地局１２０と基地局１２２とがダウンリンクに関して等しい送信電力を有する場合、および端末１１０が基地局１２０に関してより高い受信信号強度を測定する場合は、端末１１０のサービング基地局として基地局１２０を選択することができる。ダウンリンク経路損失がアップリンク経路損失に等しい場合、端末１１０における基地局１２０のより高いダウンリンク受信信号強度は、基地局１２０における端末１１０のより高いアップリンク受信信号強度を暗示することができる。この場合、ダウンリンク受信信号強度に基づいてサービング基地局を選択することにより、良好なアップリンクパフォーマンスも生じる。
【００１７】
異種ネットワークは、異なる送信電力レベルをもつ基地局を含むことがある。たとえば、マクロ基地局は＋４３ｄＢｍ（１ミリワットに対するデシベル）の送信電力レベルを有するが、ホーム基地局は＋３０ｄＢｍの送信電力レベルを有する。端末は、２つの基地局のカバレージに入ることがある。ある基地局のダウンリンク受信信号強度が他の基地局のダウンリンク受信信号強度に等しい境界は、ダウンリンクハンドオフ境界と呼ばれる。ある基地局のアップリンク受信信号強度が他の基地局のアップリンク受信信号強度に等しい境界は、アップリンクハンドオフ境界と呼ばれる。２つの基地局が異なる送信電力レベルを有する場合、ダウンリンクハンドオフ境界がアップリンクハンドオフ境界に一致することはない。したがって、端末は、ある基地局に関してより高いダウンリンク受信信号強度を有するが、他の基地局においてより高いアップリンク受信信号強度を有することがある。たとえば、端末は、＋４３ｄＢｍで送信しているマクロ基地局に関して−９０ｄＢｍを測定し、＋３０ｄＢｍで送信しているホーム基地局に関して−９５ｄＢｍを測定する。マクロ基地局の経路損失は１３３デシベル（ｄＢ）とすることができ、ホーム基地局の経路損失は１２５ｄＢとすることができる。端末のアップリンク受信信号強度は、ホーム基地局ではマクロ基地局よりも８ｄＢ高いとすることができる。より良好なダウンリンクをもつマクロ基地局を端末のサービング基地局として選択することができる。しかしながら、端末は、非サービング基地局であるホーム基地局により近接していることがあり、ホーム基地局に関してより良好なアップリンクを有することがある。
【００１８】
２つの基地局の送信電力レベルの差は、次のように表すことができる。
【数１】
0005563029.tif 000002
【００１９】
上式で、ＰＴＸ，ｈｉｇｈは高電力基地局の送信電力レベル（ｄＢｍ）、ＰＴＸ，ｌｏｗは低電力基地局の送信電力レベル（ｄＢｍ）、ΔＴＸは２つの基地局のダウンリンク送信電力差（ｄＢ）である。
【００２０】
２つの基地局の／における等しい受信信号強度の境界は、ダウンリンク送信電力差ΔＴＸだけオフセットされ得る。ダウンリンクハンドオフ境界とアップリンクハンドオフ境界とのバランスをとるための１つの方式は、低電力基地局において雑音指数劣化を適用することである。雑音指数は、熱雑音に対する受信雑音の比（線形単位）である。一例として、無線周波数（ＲＦ）入力がない場合、熱雑音は０°ケルビンで−１７４ｄＢｍ／Ｈｚであり、受信雑音は−１６９ｄＢｍ／Ｈｚであり、雑音指数は５ｄＢであるとすることができる。雑音指数劣化のために、低電力基地局は、その雑音指数がΔＴＸｄＢだけ高くなるように、次のように雑音を生成し、加算することができる。
【数２】
0005563029.tif 000003
【００２１】
上式で、ＮＦｈｉｇｈは高電力基地局の雑音指数（ｄＢ）であり、
ＮＦｌｏｗは低電力基地局の雑音指数（ｄＢ）である。
【００２２】
高電力基地局と低電力基地局との間のΔＴＸ＝１３ｄＢである上記の例では、低電力基地局は、雑音レベルを−１６９ｄＢｍ／Ｈｚから−１５６ｄＢｍ／Ｈｚに上げるために、雑音を生成し、加算する。その場合、低電力基地局の雑音指数は１３ｄＢだけ増加する。
【００２３】
雑音指数劣化を使用して、異なる送信電力レベルをもつ基地局のダウンリンクハンドオフ境界とアップリンクハンドオフ境界とのバランスをとることができる。多くのアップリンク電力制御および干渉管理方式は、信号レベルおよび干渉レベルを熱雑音レベルの数倍に制御する。基地局間の送信電力不一致の場合、低電力基地局の雑音指数をΔＴＸｄＢだけ増加させると、高電力基地局と低電力基地局のダウンリンクハンドオフ境界とアップリンクハンドオフ境界とを一致させることができる。たとえば、高電力基地局は＋４３ｄＢｍで送信し、低電力基地局は＋３０ｄＢｍで送信する。端末は、両方の基地局に関して−９０ｄＢｍを測定する。端末は、高電力基地局に関して１３３ｄＢの経路損失を有し、低電力基地局に関して１２０ｄＢの経路損失を有する。低電力基地局は、高電力基地局よりも１３ｄＢだけ高い、端末の受信信号強度を有する。しかしながら、低電力基地局が１３ｄＢだけ高い雑音指数を有する場合、両方の基地局は、端末に関して同じＳＮＲを有する。雑音指数劣化により、端末は、ハンドオフ境界に位置するときに両方の基地局に関して同じダウンリンクＳＮＲを有し、また、同じハンドオフ境界において両方の基地局に関して同じアップリンクＳＮＲを有する。最良のダウンリンクをもつ基地局がサービング基地局として選択され、この基地局はまた、（ダウンリンクの経路損失がアップリンクの経路損失に等しいと仮定して）端末の最良のアップリンクを有する。このようにして、雑音指数劣化を使用してダウンリンクハンドオフ境界とアップリンクハンドオフ境界とのバランスをとることができる。ただし、低電力基地局において加算される余分の雑音は、アップリンク容量の損失を生じることがあり、アップリンクパフォーマンスを劣化させることもある。
【００２４】
一態様では、異種ネットワークにおけるサービング基地局選択のために仮想雑音指数を使用して、アップリンクパフォーマンス劣化を回避しながら、バランスがとれたダウンリンクハンドオフ境界とアップリンクハンドオフ境界とを得ることができる。基地局の仮想雑音指数を得るために、基地局の実際の雑音指数を仮想的に適切な量だけ劣化させることができる。しかしながら、基地局の雑音指数は、余分の雑音の注入により、実際には劣化しない。したがって、アップリンクパフォーマンスの劣化を回避することができる。仮想雑音指数はサービング基地局選択および／または他の目的のために使用できる。
【００２５】
所与の基地局ｍの実際の雑音指数および仮想雑音指数は、次のように表すことができる
【数３】
0005563029.tif 000004
【００２６】
上式で、Ｎ０は適用可能な帯域幅の熱雑音（ｄＢｍ）であり、
Ｎａｃｔｕａｌ，ｍは基地局ｍの実際の雑音（ｄＢｍ）であり、
ＮＦａｃｔｕａｌ，ｍは基地局ｍの実際の雑音指数（ｄＢ）であり、
ＮＦｖｉｒｔｕａｌ，ｍは基地局ｍの仮想雑音指数（ｄＢ）であり、
δＮＦ，ｍは基地局ｍの仮想雑音指数と実際の雑音指数との間のデルタである。
【００２７】
簡単のために、雑音は、適用可能な帯域幅（たとえば、送信に使用可能な帯域幅）に対して定義でき、ｄＢｍの単位で与えられる。雑音は、密度として与えることもでき、ｄＢｍ／Ｈｚの単位で与えられる。
【００２８】
１つの設計では、雑音指数デルタδＮＦ，ｍは次のように定義できる。
【数４】
0005563029.tif 000005
【００２９】
上式で、ＰＴＸ，ｒｅｆは基準送信電力レベルであり、
ＰＴＸ，ｍは基地局ｍの送信電力レベルである。基準送信電力レベルは、マクロ基地局の送信電力レベル、所定の送信電力レベルなどとすることができる。
【００３０】
一般に、雑音指数デルタδＮＦ，ｍは０以上の任意の適切な値に設定できる。δＮＦ，ｍ＝ΔＴＸの場合は、ダウンリンクハンドオフ境界とアップリンクハンドオフ境界とのバランスがとれる。δＮＦ，ｍは、いくつかの基地局の選択に有利であるように、他の値に設定することもできる。たとえば、δＮＦ，ｍは、マクロ基地局よりもホーム基地局を選択する方が有利であるように、０≦δＮＦ，ｍ＜ΔＴＸとなるように設定することができる。仮想雑音指数は、式（４）に示すように、雑音指数デルタと実際の雑音指数とに基づいて計算できる。
【００３１】
端末における基地局ｍの経路損失は、次のように表すことができる。
【数５】
0005563029.tif 000006
【００３２】
上式で、ＰＲＸ，ｍは端末における基地局ｍの受信電力であり、
ＰＬｍは基地局ｍの経路損失である。ＰＲＸ，ｍは、基地局ｍのダウンリンク受信信号強度とも呼ばれる。
【００３３】
端末における基地局ｍのダウンリンクＳＮＲは、次のように表すことができる
【数６】
0005563029.tif 000007
【００３４】
上式で、Ｎｔｅｒｍｉｎａｌは端末における雑音（ｄＢｍ）であり、
ＳＮＲＤＬ，ｍは基地局ｍのダウンリンクＳＮＲである。
【００３５】
基地局ｍにおける端末のアップリンクＳＮＲは、次のように表すことができる
【数７】
0005563029.tif 000008
【００３６】
上式で、ＰＴＸ，ｔｅｒｍｉｎａｌは端末の送信電力レベルであり、
ＳＮＲＵＬ，ｍは基地局ｍにおける端末のアップリンクＳＮＲである。式（９）では、アップリンクの経路損失がダウンリンクの経路損失に等しいと仮定している。
【００３７】
図２Ａに、基地局１２０および１２２から端末１１０へのダウンリンク送信を示す。基地局１２０および１２２は、それぞれ、送信電力レベルＰＴＸ，１およびＰＴＸ，２を有し、それぞれ、端末１１０への経路損失ＰＬ１およびＰＬ２をも有する。端末１１０は、それぞれ、基地局１２０および１２２の受信電力ＰＲＸ，１およびＰＲＸ，２を得る。端末１１０は、それぞれ、基地局１２０および１２２のダウンリンクＳＮＲ、ＳＮＲＤＬ，１およびＳＮＲＤＬ，２を計算する。
【００３８】
図２Ｂに、端末１１０から基地局１２０および１２２へのアップリンク送信を示す。端末１１０は、送信電力レベルＰＴＸ，ｔｅｒｍｉｎａｌを有し、それぞれ基地局１２０および１２２の経路損失、それぞれＰＬ１およびＰＬ２をも有する。基地局１２０および１２２は、それぞれ仮想雑音指数ＮＦｖｉｒｔｕａｌ，１およびＮＦｖｉｒｔｕａｌ，２を有する。端末１１０は、それぞれ仮想雑音指数ＮＦｖｉｒｔｕａｌ，１およびＮＦｖｉｒｔｕａｌ，２に基づいて得られる、それぞれ基地局１２０および１２２におけるアップリンクＳＮＲ、ＳＮＲＵＬ，１およびＳＮＲＵＬ，２を有する。
【００３９】
各基地局は、サービング基地局選択および／または他の目的のために使用できる様々なタイプの情報を送信する。たとえば、各基地局は、その送信電力レベルＰＴＸ，ｍ、その実際の雑音指数ＮＦａｃｔｕａｌ，ｍ、その仮想雑音指数ＮＦｖｉｒｔｕａｌ，ｍ、その雑音指数デルタδＮＦ，ｍ、他の情報、またはそれらの任意の組合せをブロードキャストする。送信電力レベルＰＴＸ，ｍは、端末によってアプリオリに知られるか、他の方法で搬送されることもある。仮想雑音指数ＮＦｖｉｒｔｕａｌ，ｍは、絶対値、実際の雑音指数からの相対値（たとえば、δＮＦ，ｍ）、公称雑音指数からの相対値などによって搬送できる。仮想雑音指数は、実際の雑音指数ＮＦａｃｔｕａｌ，ｍと送信電力レベルＰＴＸ，ｍとによっても搬送でき、これらを使用して、既知の基準送信電力レベルＰＴＸ，ｒｅｆに基づいて雑音指数デルタδＮＦ，ｍを計算する。
【００４０】
１つの設計では、端末が基地局からブロードキャスト情報を受信し、各基地局の様々な測定値を計算する。端末は各基地局のダウンリンク受信信号強度を測定する。端末は、各基地局の送信電力レベルと測定されたダウンリンク受信信号強度とに基づいて、その基地局の経路損失を判断する。端末は、たとえば、式（８）に示すように、各基地局のダウンリンクＳＮＲを計算する。端末は、たとえば、式（９）に示すように、各基地局の仮想雑音指数に基づいて、その基地局のアップリンクＳＮＲを計算する。端末は、すべての候補基地局のダウンリンクＳＮＲ、アップリンクＳＮＲ、および／または他の情報に基づいてサービング基地局を選択する。
【００４１】
別の設計では、基地局が端末のサービング基地局を選択する。この設計では、基地局は、仮想雑音指数を送信せず、それを基地局自体の計算において内部的に使用して、端末のサービング基地局に関する決定を行う。基地局は、決定を行う際に、端末によって報告されたダウンリンクＳＮＲなど、他の情報を使用することができる。
【００４２】
サービング基地局は様々な方法で選択できる。１つの設計では、最良のダウンリンク（たとえば、最も高いダウンリンクＳＮＲ）をもつ基地局が選択されるが、選択された基地局のアップリンクが所定のしきい値を上回るか、または所定の最良のアップリンクの範囲内にあるという制約がある。この設計は、端末のダウンリンクパフォーマンスを改善するために使用できる。別の設計では、最良のアップリンク（たとえば、最も高いアップリンクＳＮＲ）をもつ基地局が選択されるが、選択された基地局のダウンリンクが所定のしきい値を上回るか、または所定の最良のダウンリンクの範囲内にあるという制約がある。この設計は、アップリンク容量が制限される場合に使用できる。一般に、サービング基地局は、ダウンリンクパフォーマンスとアップリンクパフォーマンスとの間のトレードオフに基づいて定義できる１つまたは複数の基準に基づいて選択できる。
【００４３】
式（９）中のアップリンクＳＮＲは、実際の雑音指数よりもδＮＦ，ｍだけ高い仮想雑音指数に基づいて得られる仮想ＳＮＲである。仮想ＳＮＲは、サービング基地局選択のために使用できる。アップリンクの実際のＳＮＲは、実際の雑音指数に基づいて判断でき、次のように表すことができる。
【数８】
0005563029.tif 000009
【００４４】
上式で、ＳＮＲＵＬ，ａｃｔｕａｌ，ｍは、基地局ｍの実際の雑音指数に基づく実際のアップリンクＳＮＲである。
【００４５】
１つの設計では、実際のＳＮＲとデータレート対ＳＮＲのルックアップテーブルとに基づいてデータレートが選択される。実際のＳＮＲに基づいて判断されたデータレートでデータが送信される。この設計により、利用可能なチャネル容量の利用が改善される。別の設計では、仮想雑音指数を用いて得られる仮想ＳＮＲに基づいてデータレートが選択される。仮想ＳＮＲに基づいて判断されたデータレートでデータが送信される。データ送信のためにハイブリッド自動再送信（ＨＡＲＱ）が使用された場合、実際のＳＮＲは仮想ＳＮＲよりも良好であり得るので、データ送信は早期に終了することがある。さらに別の設計では、容量と信頼性との間のトレードオフに基づいて選択された中間雑音指数に基づいて中間ＳＮＲが計算され、ＮＦａｃｔｕａｌ，ｍ＜ＮＦｉｎｔｅｒｍｅｄｉａｔｅ，ｍ＜ＮＦｖｉｒｔｕａｌ，ｍとなるように与えられる。中間ＳＮＲに基づいて判断されたデータレートでデータが送信される。
【００４６】
別の態様では、異種ネットワークにおける干渉管理のために仮想雑音指数を使用することができる。ネットワークは、ＯＦＤＭまたはＳＣ−ＦＤＭを利用することがある。この場合、基地局は仮想ＩｏＴを判断することができ、仮想ＩｏＴは次のように表すことができる。
【数９】
0005563029.tif 000010
【００４７】
上式で、Ｉｍは、基地局ｍにおいて測定された干渉（ｄＢｍ）であり、
Ｎｖｉｒｔｕａｌ，ｍは基地局ｍにおける仮想雑音（ｄＢｍ）であり、
ＩｏＴｖｉｒｔｕａｌ，ｍは基地局ｍの仮想ＩｏＴ（ｄＢ）である。
【００４８】
基地局は、基地局によって観測される、干渉電力Ｉｍと雑音電力Ｎａｃｔｕａｌ，ｍとを測定する。式（１１）に示す設計では、基地局は、測定された／実際の雑音電力と、たとえば、式（６）に示すように基地局の送信電力に依存する雑音指数デルタδＮＦ，ｍとに基づいて、仮想雑音電力を判断する。次いで、基地局は、測定された干渉と仮想雑音電力とに基づいて仮想ＩｏＴを判断する。基地局は、仮想ＩｏＴをＩｏＴしきい値と比較し、次のように、仮想ＩｏＴがＩｏＴしきい値を超えた場合に過負荷（overload)インジケータを設定する。
【００４９】
（ＩｏＴｖｉｒｔｕａｌ，ｍ＞ＩｏＴｔｈ）
の場合、      過負荷インジケータ＝「１」、
その他の場合、過負荷インジケータ＝「０」。
【００５０】
過負荷インジケータは、ローディングインジケータ、他セクタ干渉（ＯＳＩ）インジケータ、他セル干渉インジケータなどと呼ばれることもある。過負荷インジケータは、１ビット（上記のように）または複数ビットを備えることができる。
【００５１】
別の設計では、基地局は、次のように、測定された干渉と実際の雑音電力とに基づいて実際のＩｏＴを判断する。
【数１０】
0005563029.tif 000011
【００５２】
上式で、ＩｏＴａｃｔｕａｌ，ｍは基地局ｍの実際のＩｏＴ（ｄＢ）である。基地局は、実際のＩｏＴを、次のように雑音指数デルタδＮＦ，ｍに基づいて判断された仮想ＩｏＴしきい値と比較する。
【数１１】
0005563029.tif 000012
【００５３】
上式で、ＩｏＴｎｏｍ，ｔｈは公称ＩｏＴしきい値であり、
ＩｏＴｖｉｒｔｕａｌ，ｔｈは仮想ＩｏＴしきい値である。公称ＩｏＴしきい値は、マクロ基地局のＩｏＴしきい値とすることができ、６〜７ｄＢに等しいとすることができる。基地局は、実際のＩｏＴが仮想ＩｏＴしきい値を超えた場合に過負荷インジケータを設定する。
【００５４】
いずれの設計でも、仮想雑音指数の使用によって、基地局はより小さい実際のＩｏＴで動作することになり、システム不安定性に対してより多くのマージンを与えることができる。基地局は、過負荷インジケータを端末にブロードキャストする。近接セル中の端末は、過負荷インジケータが基地局における高いＩｏＴを示す場合、それらの送信電力を低減する。
【００５５】
ネットワークは、ＣＤＭＡを利用することがある。この場合、基地局は仮想ＲｏＴを判断することができ、仮想ＲｏＴは次のように表すことができる。
【数１２】
0005563029.tif 000013
【００５６】
上式で、ＲｏＴｖｉｒｔｕａｌ，ｍは基地局ｍの仮想ＲｏＴ（ｄＢ）である。
【００５７】
基地局は、基地局における受信電力ＰＲＸ，ｍと雑音電力Ｎａｃｔｕａｌ，ｍとを測定する。基地局は、測定された／実際の雑音電力と雑音指数デルタδＮＦ，ｍとに基づいて仮想雑音電力を判断する。次いで、基地局は、受信電力と仮想雑音電力とに基づいて仮想ＲｏＴを判断する。基地局は、仮想ＲｏＴをＲｏＴしきい値と比較し、次のように、仮想ＲｏＴがＲｏＴしきい値を超えた場合に過負荷インジケータを設定する。
【００５８】
（ＲｏＴｖｉｒｔｕａｌ，ｍ＞ＲｏＴｔｈ）
の場合、      過負荷インジケータ＝「１」、
その他の場合、過負荷インジケータ＝「０」。
【００５９】
別の設計では、基地局は、受信電力と実際の雑音電力とに基づいて実際のＲｏＴを判断する。次いで、基地局は、実際のＲｏＴを、雑音指数デルタδＮＦ，ｍに基づいて判断される仮想ＲｏＴしきい値と比較する。基地局は、実際のＲｏＴが仮想ＲｏＴしきい値を超えた場合に過負荷インジケータを設定する。
【００６０】
一般に、干渉パラメータ（たとえば、仮想ＩｏＴまたは仮想ＲｏＴ）または対応するしきい値（たとえば、仮想ＩｏＴしきい値または仮想ＲｏＴしきい値）のいずれにおいても、基地局の仮想雑音指数が考慮に入れられる。いずれの場合も、基地局は過負荷インジケータを端末にブロードキャストする。近接セル中の端末は、過負荷インジケータが基地局における高いＩｏＴまたは高いＲｏＴを示す場合、それらの送信電力を低減する。
【００６１】
さらに別の態様では、異種ネットワークにおける電力制御のために仮想雑音指数を使用することができる。送信の受信信号品質は、ＳＮＲ、キャリアオーバサーマル（ＣｏＴ）、キャリア対干渉比（Ｃ／Ｉ）、または何らかの他の量によって与えられる。ＳＮＲ、ＣｏＴおよびＣ／Ｉは、次のように表すことができる。
【数１３】
0005563029.tif 000014
【００６２】
上式で、Ｃｍは基地局ｍにおける端末の受信キャリア電力（ｄＢｍ）であり、
ＳＮＲａｃｔｕａｌ，ｍは基地局ｍにおける端末の実際のＳＮＲ（ｄＢ）であり、
ＣｏＴａｃｔｕａｌ，ｍは基地局ｍにおける端末の実際のＣｏＴ（ｄＢ）であり、
Ｃ／Ｉａｃｔｕａｌ，ｍは基地局ｍにおける端末の実際のＣ／Ｉ（ｄＢ）である。
【００６３】
実際のＳＮＲ、ＣｏＴまたはＣ／Ｉは、それぞれ仮想ＳＮＲ、ＣｏＴまたはＣ／Ｉしきい値と比較される。これらのしきい値は次のように表すことができる。
【数１４】
0005563029.tif 000015
【００６４】
上式で、ＳＮＲｎｏｍ，ｔｈは公称ＳＮＲしきい値、およびＳＮＲｖｉｒｔｕａｌ，ｔｈは仮想ＳＮＲしきい値であり、
ＣｏＴｎｏｍ，ｔｈは公称ＣｏＴしきい値、およびＣｏＴｖｉｒｔｕａｌ，ｔｈは仮想ＣｏＴしきい値であり、
Ｃ／Ｉｎｏｍ，ｔｈは公称Ｃ／Ｉしきい値、およびＣ／Ｉｖｉｒｔｕａｌ，ｔｈは仮想Ｃ／Ｉしきい値である。
【００６５】
公称ＳＮＲ、ＣｏＴおよびＣ／Ｉしきい値は、適切に選択された値とすることができる。仮想ＳＮＲ、ＣｏＴおよびＣ／Ｉしきい値は、公称ＳＮＲ、ＣｏＴおよびＣ／Ｉしきい値よりもそれぞれ雑音指数デルタδＮＦ，ｍだけ高いとすることができる。
【００６６】
基地局は、端末の実際のＳＮＲ、ＣｏＴまたはＣ／Ｉを、たとえば、式（１５）、式（１６）または式（１７）に示すように実際の雑音電力に基づいて判断する。基地局は、実際のＳＮＲ、ＣｏＴまたはＣ／Ｉを仮想ＳＮＲ、ＣｏＴまたはＣ／Ｉしきい値と比較し、次のように電力制御コマンドを生成する。
【００６７】
（ＳＮＲａｃｔｕａｌ，ｍ＜ＳＮＲｖｉｒｔｕａｌ，ｔｈ）、または（ＣｏＴａｃｔｕａｌ，ｍ＜ＣｏＴｖｉｒｔｕａｌ，ｔｈ）、または（Ｃ／Ｉａｃｔｕａｌ，ｍ＜Ｃ／Ｉｖｉｒｔｕａｌ，ｔｈ）
の場合、      電力制御コマンド＝ＵＰコマンド、
その他の場合、電力制御コマンド＝ＤＯＷＮコマンド。
【００６８】
別の設計では、基地局は、仮想雑音指数ＮＦｖｉｒｔｕａｌ，ｍに基づいて、仮想ＳＮＲ、ＣｏＴまたはＣ／Ｉを判断する。次いで、基地局は、仮想ＳＮＲ、ＣｏＴまたはＣ／Ｉを公称ＳＮＲ、ＣｏＴまたはＣ／Ｉしきい値と比較する。一般に、受信信号品質（たとえば、仮想ＳＮＲ、ＣｏＴまたはＣ／Ｉ）においても、対応するしきい値（たとえば、仮想ＳＮＲ、ＣｏＴまたはＣ／Ｉしきい値）においても、仮想雑音指数が考慮に入れられる。いずれの場合も、基地局は、電力制御コマンドを端末に送信する。端末は、ＵＰコマンドが受信された場合はその送信電力を増加させ、ＤＯＷＮコマンドが受信された場合はその送信電力を減少させる。
【００６９】
端末は、サービング基地局の雑音指数劣化に基づいて、端末の送信電力レベルを設定する。１つの設計では、端末は、その送信電力を次のように設定する。
【数１５】
0005563029.tif 000016
【００７０】
上式で、ＰＴＸ１は第１のチャネルの送信電力レベル（ｄＢｍ）であり、
ＰＴＸ２は第２のチャネルの送信電力レベル（ｄＢｍ）であり、
Δ１２は第１のチャネルと第２のチャネルとの間の公称電力オフセット（ｄＢ）であり、
δＮＦ，ｍは雑音指数ベースの調整（ｄＢ）である。
【００７１】
第１のチャネルは、パイロットチャネル、制御チャネル、トラフィックチャネルなどとすることができる。第２のチャネルは、アクセスチャネル、パイロットチャネルなどとすることができる。送信電力レベルＰＴＸ２は、アクセスチャネル上で最後に送信されたアクセスプローブの送信電力レベル、または何らかの他のチャネルの何らかの他の送信電力レベルとすることができる。公称電力オフセットΔ１２は、端末が知り得る固定値とすることも、基地局から端末に送信することもできる。雑音指数ベースの調整δＮＦ，ｍは、基地局ｍから受信した情報に基づいて判断できる。第１のチャネルと第２のチャネルとの間の全体的なオフセットは、Δ１２＋δＮＦ，ｍとして与えられる。
【００７２】
端末は、サービング基地局から仮想雑音指数または仮想雑音指数の変化を受信する。端末は、仮想雑音指数の変化に基づいてその送信電力レベルを調整する。たとえば、基地局の仮想雑音指数が劣化した場合、たとえば、変化が正である場合、端末はその送信電力レベルを増加させる。基地局の仮想雑音指数が改善された場合、たとえば、変化が負である場合、端末はその送信電力レベルを減少させる。
【００７３】
仮想雑音指数は、上述のように、サービング基地局選択、干渉管理、および電力制御のために使用できる。仮想雑音指数は、ワイヤレス通信の他の目的のためにも使用できる。
【００７４】
１つの設計では、基地局は、基地局の仮想送信電力レベルを広告する。仮想送信電力レベルは、送信機における実際の送信電力レベルとは異なる（たとえば、より高い）可能性のある仮定的送信電力レベルである。仮想送信電力レベルは、基地局における仮想雑音指数を反映する。１つの設計では、基地局の仮想送信電力レベルおよび雑音指数デルタは、次のように与えられる。
【数１６】
0005563029.tif 000017
【００７５】
上式で、ＰＴＸ＿ａｃｔｕａｌ，ｍは基地局ｍの実際の送信電力レベルであり、
ＰＴＸ＿ｖｉｒｔｕａｌ，ｍは基地局ｍの仮想送信電力レベルである。
【００７６】
式（２２）に示すように、基地局は、実際の送信電力レベルＰＴＸ＿ａｃｔｕａｌ，ｍ（ｄＢｍ）と、雑音指数デルタδＮＦ，ｍ（ｄＢ）とを有する。基地局は、雑音指数デルタの代わりに仮想送信電力レベルＰＴＸ＿ｖｉｒｔｕａｌ，ｍ（ｄＢｍ）を（たとえば、端末および／または他の基地局に）広告する。仮想送信電力レベルは、雑音指数デルタに等価とすることができ、雑音指数情報の明示的広告をサポートしないシステムにおいて有用とすることができる。
【００７７】
別の設計では、実際の送信電力レベルＰＴＸ＿ａｃｔｕａｌ，ｍと雑音指数デルタδＮＦ，ｍとをもつ基地局は、適切なオフセット値ｘに対して、仮想送信電力レベルＰＴＸ＿ａｃｔｕａｌ，ｍ＋ｘおよび／または仮想雑音指数デルタ（δＮＦ，ｍ−ｘ）を広告する。ｘ＝δＮＦ，ｍの場合は、（ｉ）基地局が雑音指数劣化０を広告する場合、または（ｉｉ）基地局が雑音指数劣化を広告する機能を有せず、デフォルトで０であることが仮定される場合に適用可能とすることができる。広告された送信電力レベルおよび雑音指数劣化をｘ  ｄＢだけ調整することは、受信されたダウンリンク信号の測定されたＳＮＲに基づくサービングセル選択、アップリンクＳＩＮＲ推定（サービングセルの場合）、およびアップリンクローディングパラメータ（ＩｏＴ、ＲｏＴなど）推定（非サービングセルの場合）に関係する計算に影響を及ぼさないので、そのような調整が可能である。
【００７８】
図３に、ワイヤレス通信ネットワーク、たとえば、異なる送信電力レベルを有する基地局をもつ異種ネットワークにおいて、サービング基地局を選択するためのプロセス３００の設計を示す。プロセス３００は、端末または何らかの他のエンティティによって実行できる。少なくとも１つの基地局の各々の仮想雑音指数を示す情報を受信する（ブロック３１２）。この情報は、たとえば、仮想雑音指数、仮想雑音指数の変化、実際の雑音指数、雑音指数デルタ、実際の送信電力レベル、仮想送信電力レベルなどを備えることができる。基地局ごとに、仮想雑音指数は実際の雑音指数以上とすることができる。実際の雑音指数および仮想雑音指数は、上述のように、様々な形で与えることができる。たとえば、仮想雑音指数は、（ｉ）式（４）に示すように実際の雑音指数と雑音指数デルタとに基づいて、（ｉｉ）式（２３）に示すように仮想送信電力レベルと実際の送信電力レベルとに基づいて、または（ｉｉｉ）何らかの他の情報に基づいて判断できる。
【００７９】
少なくとも１つの基地局の各々の仮想雑音指数に基づいてサービング基地局を選択する（ブロック３１４）。１つの設計では、各基地局のダウンリンク受信信号強度を判断する。各基地局の仮想雑音指数および他の情報に基づいて、その基地局のアップリンクＳＮＲをも判断する。次いで、少なくとも１つの基地局の各々のアップリンクＳＮＲとダウンリンク受信信号強度とに基づいてサービング基地局を選択する。１つの設計では、最も高いダウンリンク受信信号強度と、ＳＮＲしきい値を上回るアップリンクＳＮＲとをもつ基地局を、サービング基地局として選択する。ＳＮＲしきい値は、所定の絶対値、または最も高いアップリンクＳＮＲからの所定の距離である相対値とすることができる。別の設計では、最も高いアップリンクＳＮＲと、信号強度しきい値を上回るダウンリンク受信信号強度とをもつ基地局を、サービング基地局として選択する。信号強度しきい値は、所定の絶対値、または最も高いダウンリンク受信信号強度からの所定の距離である相対値とすることができる。他の基準に基づいてサービング基地局を選択することもできる。
【００８０】
サービング基地局の実際の雑音指数に基づいてサービング基地局のアップリンクＳＮＲを判断する（ブロック３１６）。サービング基地局のアップリンクＳＮＲに基づいてレートを選択する（ブロック３１８）。選択されたレートでデータをサービング基地局に送信する（ブロック３２０）。
【００８１】
サービング基地局は、端末によって得られる情報、たとえば、基地局から受信された情報および／または端末によって測定された情報に基づいて、端末によって選択できる。代替的に、端末が、関係する情報を基地局に送信し、次いで基地局が端末のサービング基地局を選択することもできる。
【００８２】
図４に、サービング基地局を選択するための装置４００の設計を示す。装置４００は、少なくとも１つの基地局の各々の仮想雑音指数を示す情報を受信するためのモジュール４１２と、少なくとも１つの基地局の各々の仮想雑音指数に基づいてサービング基地局を選択するためのモジュール４１４と、サービング基地局の実際の雑音指数に基づいてサービング基地局のアップリンクＳＮＲを判断するためのモジュール４１６と、サービング基地局のアップリンクＳＮＲに基づいてレートを選択するためのモジュール４１８と、選択されたレートでデータをサービング基地局に送信するためのモジュール４２０とを含む。
【００８３】
図５に、ワイヤレス（たとえば、異種）通信ネットワークにおいてサービング基地局選択をサポートするためのプロセス５００の設計を示す。プロセス５００は、基地局または何らかの他のエンティティによって実行できる。式（４）および式（６）に示すように、たとえば、基地局の送信電力レベル、基準送信電力レベル、および基地局の実際の雑音指数に基づいて、基地局の仮想雑音指数を判断する（ブロック５１２）。基地局の仮想雑音指数を示す情報を送信する（ブロック５１４）。端末が基地局の仮想雑音指数に基づいて基地局を選択する場合、端末からアクセス要求またはハンドオフ要求を受信する（ブロック５１６）。基地局の実際の雑音指数に基づいて選択されたレートで端末によって送信されたデータを受信する（ブロック５１８）。
【００８４】
図６に、サービング基地局選択をサポートするための装置６００の設計を示す。装置６００は、基地局の仮想雑音指数を判断するためのモジュール６１２と、基地局の仮想雑音指数を示す情報を送信するためのモジュール６１４と、端末が基地局の仮想雑音指数に基づいて基地局を選択する場合、端末からアクセス要求またはハンドオフ要求を受信するためのモジュール６１６と、基地局の実際の雑音指数に基づいて選択されたレートで端末が受信データを送信するためのモジュール６１８とを含む。
【００８５】
図７に、ワイヤレス（たとえば、異種）通信ネットワークにおいて干渉管理を実行するためのプロセス７００の設計を示す。プロセス７００は、基地局または何らかの他のエンティティによって実行できる。基地局の仮想雑音指数を判断する（ブロック７１２）。基地局におけるローディングを示すローディングパラメータ（たとえば、ＩｏＴまたはＲｏＴ）を判断する（ブロック７１４）。基地局のローディングパラメータと仮想雑音指数とに基づいて基地局のローディングインジケータ（たとえば、過負荷インジケータ）を判断する（ブロック７１６）。ブロック７１６の１つの設計では、ローディングパラメータをしきい値と比較し、比較結果に基づいてローディングインジケータを設定する。ローディングパラメータまたはしきい値は、基地局の仮想雑音指数に基づいて判断される。ローディングインジケータを端末に送信（たとえば、ブロードキャスト）し、端末はローディングインジケータに基づいてその送信電力レベルを調整する（ブロック７１８）。
【００８６】
図８に、干渉管理を実行するための装置８００の設計を示す。装置８００は、基地局の仮想雑音指数を判断するためのモジュール８１２と、基地局におけるローディングを示すローディングパラメータを判断するためのモジュール８１４と、基地局のローディングパラメータと仮想雑音指数とに基づいて基地局のローディングインジケータを判断するためのモジュール８１６と、ローディングインジケータを端末に送信するためのモジュール８１８とを含む。
【００８７】
図９に、ワイヤレス（たとえば、異種）通信ネットワークにおいて電力制御を実行するためのプロセス９００の設計を示す。プロセス９００は、基地局または何らかの他のエンティティによって実行できる。基地局の仮想雑音指数を判断する（ブロック９１２）。基地局において端末の受信信号品質（たとえば、ＳＮＲ、ＣｏＴまたはＣ／Ｉ）を判断する（ブロック９１４）。受信信号品質と仮想雑音指数とに基づいて電力制御コマンドを生成する（ブロック９１６）。１つの設計では、たとえば、式（１８）、式（１９）または式（２０）に示すように、仮想雑音指数に基づいてしきい値を判断する（ブロック９１４）。別の設計では、仮想雑音指数に基づいて受信信号品質を判断する。両方の設計で、電力制御コマンドを判断するために、受信信号品質をしきい値と比較する。仮想雑音指数は、受信信号品質あるいはしきい値のいずれかににおいて考慮に入れられる。電力制御コマンドを端末に送信し、端末はそれに応じて端末の送信電力レベルを調整する（ブロック９１８）。
【００８８】
図１０に、電力制御を実行するための装置１０００の設計を示す。装置１０００は、基地局の仮想雑音指数を判断するためのモジュール１０１２と、基地局において端末の受信信号品質を判断するためのモジュール１０１４と、受信信号品質および仮想雑音指数に基づいて電力制御コマンドを生成するためのモジュール１０１６と、電力制御コマンドを端末に送信するためのモジュール１０１８とを含む。
【００８９】
図１１に、ワイヤレス（たとえば、異種）通信ネットワークにおいて電力制御を実行するためのプロセス１１００の設計を示す。プロセス１１００は、端末または何らかの他のエンティティによって実行できる。端末は、基地局の仮想雑音指数を示す情報を受信する（ブロック１１１２）。この情報は、上記の情報のいずれかを備えることができる。端末は、基地局の仮想雑音指数に基づいてその送信電力レベルを判断する（ブロック１１１４）。端末は、基地局から電力制御コマンドを受信し（ブロック１１１６）、電力制御コマンドに基づいてその送信電力レベルを調整する（ブロック１１１８）。
【００９０】
ブロック１１１４の１つの設計では、端末は、基地局の仮想雑音指数に基づいてオフセットを判断する。次いで、端末は、たとえば、式（２１）に示すように、第２のチャネルの第２の送信電力レベル＋オフセットに基づいて、第１のチャネルの送信電力レベルを設定する。第１および第２のチャネルは前述の任意のチャネルとすることができる。オフセットは、端末が知り得るかまたは基地局によって端末に送信できる部分（たとえば、第１のチャネルと第２のチャネルとの間の公称電力オフセットΔ１２）をさらに含むことができる。
【００９１】
ブロック１１１４の別の設計では、端末は、受信情報に基づいて、基地局の仮想雑音指数の変化を判断する。端末は、仮想雑音指数の変化に基づいてその送信電力レベルを調整する。たとえば、基地局の仮想雑音指数が劣化した場合、たとえば、変化が正である場合、端末はその送信電力レベルを増加させる。基地局の仮想雑音指数が改善された場合、たとえば、変化が負である場合、端末はその送信電力レベルを減少させる。
【００９２】
図１２に、電力制御を実行するための装置１２００の設計を示す。装置１２００は、基地局の仮想雑音指数を示す情報を受信するためのモジュール１２１２と、基地局の仮想雑音指数に基づいて端末の送信電力レベルを判断するためのモジュール１２１４と、基地局から電力制御コマンドを受信するためのモジュール１２１６と、電力制御コマンドに基づいて端末の送信電力レベルを調整するためのモジュール１２１８とを含む。
【００９３】
図４、図６、図８、図１０および図１２のモジュールは、プロセッサ、電子デバイス、ハードウェアデバイス、電子構成要素、論理回路、メモリなど、またはそれらの任意の組合せを備えることができる。
【００９４】
図１３に、端末１１０および基地局１２０の設計のブロック図を示す。図１中の基地局１２２は、基地局１２０と同様の方法で実装することができる。基地局１２０はＴ個のアンテナ１３３４ａ〜１３３４ｔを備えることができ、端末１１０はＲ個のアンテナ１３５２ａ〜１３５２ｒを備えることができ、一般に、Ｔ≧１およびＲ≧１である。
【００９５】
基地局１２０において、送信プロセッサ１３２０は、データソース１３１２から１つまたは複数の端末のデータを受信し、１つまたは複数の変調および符号化方式に基づいて各端末のデータを処理（たとえば、符号化および変調）し、すべての端末のデータシンボルを提供する。送信プロセッサ１３２０はまた、コントローラ／プロセッサ１３４０から制御情報（たとえば、実際の雑音指数および／または仮想雑音指数、送信電力レベルなどの情報）を受信し、情報を処理し、制御シンボルを与えることもできる。送信（ＴＸ）多入力多出力（ＭＩＭＯ）プロセッサ１３３０は、データシンボル、制御シンボル、およびパイロットシンボルを多重化する。プロセッサ１３３０は、さらに多重化されたシンボルを処理（たとえば、プリコード）し、Ｔ個の出力シンボルストリームをＴ個の変調器（ＭＯＤ）１３３２ａ〜１３３２ｔに与えることができる。各変調器１３３２は、それぞれの出力サンプルストリームを取得するために出力シンボルストリーム（たとえば、ＯＦＤＭ、ＣＤＭＡなど）を処理する。各変調器１３３２は、ダウンリンク信号を取得するために出力サンプルストリームをさらに処理（たとえば、アナログ変換、増幅、フィルタ処理、およびアップコンバート）する。変調器１３３２ａ〜１３３２ｔからのＴ個のダウンリンク信号は、それぞれＴ個のアンテナ１３３４ａ〜１３３４ｔを介して送信される。
【００９６】
端末１１０において、Ｒ個のアンテナ１３５２ａ〜１３５２ｒは基地局１２０からダウンリンク信号を受信し、それぞれ受信信号を復調器（ＤＥＭＯＤ）１３５４ａ〜１３５４ｒに提供する。各復調器１３５４は、受信サンプルを取得するためにそれぞれの受信信号を調整（たとえば、フィルタ処理、増幅、ダウンコンバート、およびデジタル化）し、受信シンボルを取得するために受信サンプル（たとえば、ＯＦＤＭ、ＣＤＭＡなど）をさらに処理する。ＭＩＭＯ検出器１３６０は、（適用可能な場合）Ｒ個の復調器１３５４ａ〜１３５４ｒのすべてからの受信シンボル上でＭＩＭＯ検出を実行し、検出されたシンボルを提供する。受信プロセッサ１３７０は、検出されたシンボルを処理し、復号されたデータを端末１１０のデータシンク１３７２に提供し、復号された制御情報をコントローラ／プロセッサ１３９０に提供する。
【００９７】
アップリンク上では、端末１１０において、データソース１３７８からのデータおよびコントローラ／プロセッサ１３９０からの制御情報（たとえば、選択されたサービング基地局を特定する情報）は、送信プロセッサ１３８０によって処理され、（適用可能な場合は）ＴＸ  ＭＩＭＯプロセッサ１３８２によってプリコードされ、変調器１３５４ａ〜１３５４ｒによって調整され、アンテナ１３５２ａ〜１３５２ｒを介して送信される。基地局１２０において、端末１１０からのアップリンク信号は、アンテナ１３３４によって受信され、復調器１３３２によって調整され、ＭＩＭＯ検出器１３３６によって検出され、端末１１０によって送信されたデータおよび制御情報を取得するために受信プロセッサ１３３８によって処理される。チャネルプロセッサ１３９４は、サービング基地局選択およびデータ送信のために使用されるパラメータ（たとえば、ダウンリンク受信信号強度、ダウンリンクＳＮＲ、アップリンクＳＮＲなど）を測定する。
【００９８】
コントローラ／プロセッサ１３４０および１３９０は、それぞれ基地局１２０における動作および端末１１０における動作を指示する。基地局１２０のコントローラ／プロセッサ１３４０および／または他のモジュールは、図３のプロセス３００、図５のプロセス５００、図７のプロセス７００、図９のプロセス９００、および／または本明細書で説明する技法のための他のプロセスを実行または指導する。端末１１０のコントローラ／プロセッサ１３９０および／または他のモジュールは、図３のプロセス３００、図１１のプロセス１１００、および／または本明細書で説明する技法のための他のプロセスを実行または指示する。メモリ１３４２および１３９２は、基地局１２０および端末１１０に関するデータおよびプログラムコードを、それぞれ格納する。スケジューラ１３４４は、端末をダウンリンクおよび／またはアップリンク上の送信用にスケジュールし、スケジュールされた端末にリソースを割り当てる。通信（Ｃｏｍｍ）ユニット１３４６は、バックホールを介したネットワークコントローラ１３０との通信をサポートすることができる。
【００９９】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１００】
さらに、本明細書の開示に関連して説明した様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じると解釈すべきではない。
【０１０１】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１０２】
本明細書の開示に関連して説明された方法またはアルゴリズムのステップは、ハードウェアで直接実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体に存在してよい。例示的な記憶媒体は、プロセッサが記憶媒体から情報を読むことができ、記憶媒体に情報を書き込むことができるようにプロセッサに結合される。代替として、記憶媒体はプロセッサに一体化することができる。プロセッサおよび記憶媒体はＡＳＩＣ中に常駐することができる。ＡＳＩＣは、ユーザ端末内に常駐することができる。代替として、プロセッサおよび記憶媒体は、ユーザ端末内に個別構成要素として常駐することもできる。
【０１０３】
１つまたは複数の例示的な設計では、説明した機能を、ハードウェア、ソフトウェア、ファームウェア、またはそれらの組合せで実装することができる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、もしくは命令またはデータ構造の形の所望のプログラムコード手段を搬送または記憶するために使用でき、汎用または専用コンピュータあるいは汎用または専用プロセッサによってアクセスできる任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１０４】
本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
以下に、本願出願時の特許請求の範囲に記載された発明を付記する。
[１]  ワイヤレス通信のための方法であって、
少なくとも１つの基地局の各々の仮想雑音指数を示す情報を受信することと、
前記少なくとも１つの基地局の各々の前記仮想雑音指数に基づいてサービング基地局を選択することと
を備える方法。
[２]  各基地局の前記仮想雑音指数を示す前記情報が、前記基地局の前記仮想雑音指数、雑音指数デルタ、または仮想送信電力レベルを備える、前記[１]に記載の方法。
[３]  各基地局の前記仮想雑音指数を示す前記情報がファクタｘを備え、ｘが、前記基地局の仮想送信電力レベルと実際の送信電力レベルとの間の差、または前記基地局の雑音指数デルタからのオフセットである、前記[１]に記載の方法。
[４]  前記基地局の前記仮想雑音指数に基づいて前記少なくとも１つの基地局の各々のアップリンク信号対雑音比（ＳＮＲ）を判断することをさらに備え、前記サービング基地局を前記選択することが、前記少なくとも１つの基地局の各々の前記アップリンクＳＮＲに基づいて前記サービング基地局を選択することを備える、
前記[１]に記載の方法。
[５]  前記少なくとも１つの基地局の各々のダウンリンク受信信号強度を判断することをさらに備え、前記サービング基地局を前記選択することが、前記少なくとも１つの基地局の各々の前記ダウンリンク受信信号強度にさらに基づいて前記サービング基地局を選択することを備える、
前記[４]に記載の方法。
[６]  前記サービング基地局を前記選択することが、最も高いダウンリンク受信信号強度と、しきい値を上回るアップリンクＳＮＲとをもつ基地局を、前記サービング基地局として選択することを備える、前記[５]に記載の方法。
[７]前記サービング基地局を前記選択することが、最も高いアップリンクＳＮＲと、しきい値を上回るダウンリンク受信信号強度とをもつ基地局を、前記サービング基地局として選択することを備える、前記[５]に記載の方法。
[８]  前記サービング基地局の実際の雑音指数を示す情報を受信することと、
前記実際の雑音指数に基づいて前記サービング基地局のアップリンク信号対雑音比（ＳＮＲ）を判断することと、
前記サービング基地局の前記アップリンクＳＮＲに基づいてレートを選択することと、  前記選択されたレートでデータを前記サービング基地局に送信することと
をさらに備える、前記[１]に記載の方法。
[９]前記少なくとも１つの基地局が、異なる送信電力レベルを有する複数の基地局を備える、前記[１]に記載の方法。
[１０]  情報を前記受信することおよびサービング基地局を前記選択することが、端末によって実行される、前記[１]に記載の方法。
[１１]  情報を前記受信することおよびサービング基地局を前記選択することが、前記少なくとも１つの基地局のうちの１つによって実行される、前記[１]に記載の方法。
[１２]  ワイヤレス通信のための装置であって、
少なくとも１つの基地局の各々の仮想雑音指数を示す情報を受信するための手段と、  前記少なくとも１つの基地局の各々の前記仮想雑音指数に基づいてサービング基地局を選択するための手段と
を備える装置。
[１３]  前記基地局の前記仮想雑音指数に基づいて前記少なくとも１つの基地局の各々のアップリンク信号対雑音比（ＳＮＲ）を判断するための手段をさらに備え、前記サービング基地局を選択するための前記手段が、前記少なくとも１つの基地局の各々の前記アップリンクＳＮＲに基づいて前記サービング基地局を選択するための手段を備える、
前記[１２]に記載の装置。
[１４]  前記少なくとも１つの基地局の各々のダウンリンク受信信号強度を判断するための手段をさらに備え、前記サービング基地局を選択するための前記手段が、前記少なくとも１つの基地局の各々の前記ダウンリンク受信信号強度にさらに基づいて前記サービング基地局を選択するための手段を備える、
前記[１３]に記載の装置。
[１５]  前記サービング基地局の実際の雑音指数を示す情報を受信するための手段と、
前記実際の雑音指数に基づいて前記サービング基地局のアップリンク信号対雑音比（ＳＮＲ）を判断するための手段と、
前記サービング基地局の前記アップリンクＳＮＲに基づいてレートを選択するための手段と、
前記選択されたレートでデータを前記サービング基地局に送信するための手段と
をさらに備える、前記[１２]に記載の装置。
[１６]  ワイヤレス通信のための装置であって、
少なくとも１つの基地局の各々の仮想雑音指数を示す情報を受信し、前記少なくとも１つの基地局の各々の前記仮想雑音指数に基づいてサービング基地局を選択するように構成された少なくとも１つのプロセッサ
を備える装置。
[１７]  前記少なくとも１つのプロセッサが、前記基地局の前記仮想雑音指数に基づいて前記少なくとも１つの基地局の各々のアップリンク信号対雑音比（ＳＮＲ）を判断し、前記少なくとも１つの基地局の各々の前記アップリンクＳＮＲに基づいて前記サービング基地局を選択するように構成された、前記[１６]に記載の装置。
[１８]  前記少なくとも１つのプロセッサが、前記少なくとも１つの基地局の各々のダウンリンク受信信号強度を判断し、前記少なくとも１つの基地局の各々の前記ダウンリンク受信信号強度にさらに基づいて前記サービング基地局を選択するように構成された、前記[１７]に記載の装置。
[１９]  前記少なくとも１つのプロセッサが、前記サービング基地局の実際の雑音指数を示す情報を受信し、前記実際の雑音指数に基づいて前記サービング基地局のアップリンク信号対雑音比（ＳＮＲ）を判断し、前記サービング基地局の前記アップリンクＳＮＲに基づいてレートを選択し、前記選択されたレートでデータを前記サービング基地局に送信するように構成された、前記[１６]に記載の装置。
[２０]  少なくとも１つの基地局の各々の仮想雑音指数を示す情報を受信することを少なくとも１つのコンピュータに行わせるためのコードと、
前記少なくとも１つの基地局の各々の前記仮想雑音指数に基づいてサービング基地局を選択することを前記少なくとも１つのコンピュータに行わせるためのコードと
を備えるコンピュータ可読媒体
を備えるコンピュータプログラム製品。
[２１]  ワイヤレス通信のための方法であって、
基地局の仮想雑音指数を示す情報を送信することと、
端末からアクセス要求またはハンドオフ要求を受信することであって、前記端末が前記基地局の前記仮想雑音指数に基づいて前記基地局を選択する、受信することと
を備える方法。
[２２]  前記基地局の前記仮想雑音指数を示す前記情報が、前記基地局の前記仮想雑音指数、雑音指数デルタ、または仮想送信電力レベルを備える、前記[２１]に記載の方法。
[２３]  前記基地局の送信電力レベルと基準送信電力レベルとに基づいて前記仮想雑音指数を判断すること
をさらに備える、前記[２１]に記載の方法。
[２４]  前記仮想雑音指数が、前記基地局の実際の雑音指数にさらに基づいて判断される、前記[２３]に記載の方法。
[２５]  前記基地局の実際の雑音指数を示す情報を送信することであって、前記実際の雑音指数が前記仮想雑音指数よりも低い、を送信することと、
前記基地局の前記実際の雑音指数に基づいて選択されたレートで前記端末によって送信されたデータを受信することと
をさらに備える、前記[２１]に記載の方法。
[２６]  前記基地局の送信電力レベルを示す情報を送信することをさらに備え、前記基地局が、前記送信電力レベルにさらに基づいて選択される、
前記[２１]に記載の方法。
[２７]  ワイヤレス通信のための装置であって、
基地局の仮想雑音指数を示す情報を送信するための手段と、
端末からアクセス要求またはハンドオフ要求を受信するための手段であって、前記端末が前記基地局の前記仮想雑音指数に基づいて前記基地局を選択する、受信するための手段と
を備える装置。
[２８]  前記基地局の送信電力レベルと基準送信電力レベルとに基づいて前記仮想雑音指数を判断するための手段
をさらに備える、前記[２７]に記載の装置。
[２９]  前記基地局の実際の雑音指数を示す情報を送信するための手段であって、前記実際の雑音指数が前記仮想雑音指数よりも低い、を送信するための手段と、
前記基地局の前記実際の雑音指数に基づいて選択されたレートで前記端末によって送信されたデータを受信するための手段と
をさらに備える、前記[２７]に記載の装置。
[３０]  ワイヤレス通信のための方法であって、
基地局におけるローディングを示すローディングパラメータを判断することと、
前記基地局の前記ローディングパラメータと仮想雑音指数とに基づいて前記基地局のローディングインジケータを判断することと、
前記ローディングインジケータを端末に送信することと
を備える方法。
[３１]  前記基地局の送信電力レベルと基準送信電力レベルとに基づいて前記仮想雑音指数を判断すること
をさらに備える、前記[３０]に記載の方法。
[３２]  前記ローディングパラメータを前記判断することが、前記基地局の前記ローディングパラメータとして干渉オーバサーマル（ＩｏＴ）またはライズオーバサーマル（ＲｏＴ）を判断することを備える、前記[３０]に記載の方法。
[３３]  前記ローディングインジケータを前記判断することが、
前記ローディングパラメータをしきい値と比較することであって、前記ローディングパラメータまたは前記しきい値が、前記基地局の前記仮想雑音指数に基づいて判断される、比較することと、
比較結果に基づいて前記ローディングインジケータを設定することと
を備える、前記[３０]に記載の方法。
[３４]  ワイヤレス通信のための装置であって、
基地局におけるローディングを示すローディングパラメータを判断するための手段と、  前記基地局の前記ローディングパラメータと仮想雑音指数とに基づいて前記基地局のローディングインジケータを判断するための手段と、
前記ローディングインジケータを端末に送信するための手段と
を備える装置。
[３５]  前記基地局の送信電力レベルと基準送信電力レベルとに基づいて前記仮想雑音指数を判断するための手段
をさらに備える、前記[３４]に記載の装置。
[３６]  前記ローディングパラメータを判断するための前記手段が、前記基地局の前記ローディングパラメータとして干渉オーバサーマル（ＩｏＴ）またはライズオーバサーマル（ＲｏＴ）を判断するための手段を備える、前記[３４]に記載の装置。
[３７]  前記ローディングインジケータを前記判断するための前記手段が、
前記ローディングパラメータをしきい値と比較するための手段であって、前記ローディングパラメータまたは前記しきい値が、前記基地局の前記仮想雑音指数に基づいて判断される、比較するための手段と、
比較結果に基づいて前記ローディングインジケータを設定するための手段と
を備える、前記[３４]に記載の装置。
[３８]  ワイヤレス通信のための方法であって、
基地局において端末の受信信号品質を判断することと、
前記受信信号品質と前記基地局の仮想雑音指数とに基づいて電力制御コマンドを生成することと、
前記電力制御コマンドを前記端末に送信することと
を備える方法。
[３９]  前記基地局の送信電力レベルと基準送信電力レベルとに基づいて前記仮想雑音指数を判断すること
をさらに備える、前記[３８]に記載の方法。
[４０]  前記受信信号品質を前記判断することが、前記端末の信号対雑音比（ＳＮＲ）、キャリアオーバサーマル（ＣｏＴ）またはキャリア対干渉比（Ｃ／Ｉ）を前記基地局において判断することを備える、前記[３８]に記載の方法。
[４１]  ワイヤレス通信のための装置であって、
基地局において端末の受信信号品質を判断するための手段と、
前記受信信号品質と前記基地局の仮想雑音指数とに基づいて電力制御コマンドを生成するための手段と、
前記電力制御コマンドを前記端末に送信するための手段と
を備える装置。
[４２]  前記基地局の送信電力レベルと基準送信電力レベルとに基づいて前記仮想雑音指数を判断するための手段
をさらに備える、前記[４１]に記載の装置。
[４３]前記受信信号品質を判断するための前記手段が、前記端末の信号対雑音比（ＳＮＲ）、キャリアオーバサーマル（ＣｏＴ）またはキャリア対干渉比（Ｃ／Ｉ）を前記基地局において判断するための手段を備える、前記[４１]に記載の装置。
[４４]  ワイヤレス通信のための方法であって、
基地局の仮想雑音指数を示す情報を受信することと、
前記基地局の前記仮想雑音指数に基づいて端末の送信電力レベルを判断することと
を備える方法。
[４５]  前記送信電力レベルが第１のチャネル用であり、前記送信電力レベルを前記判断することが、
前記基地局の前記仮想雑音指数に基づいてオフセットを判断することと、
第２のチャネルの第２の送信電力レベルと前記オフセットとに基づいて前記第１のチャネルの前記送信電力レベルを設定することと
を備える、前記[４４]に記載の方法。
[４６]  前記基地局から電力制御コマンドを受信することと、
前記電力制御コマンドに基づいて前記端末の前記送信電力レベルを調整することと
をさらに備える、前記[４４]に記載の方法。
[４７]  前記基地局の前記仮想雑音指数を示す前記情報が、前記基地局の前記仮想雑音指数または前記基地局の前記仮想雑音指数の変化を備える、前記[４４]に記載の方法。
[４８]  前記送信電力レベルを前記判断することが、
前記受信情報に基づいて前記基地局の前記仮想雑音指数の変化を判断することと、
前記基地局の前記仮想雑音指数の前記変化に基づいて前記端末の前記送信電力レベルを調整することと
を備える、前記[４４]に記載の方法。
[４９]  前記送信電力レベルを前記判断することが、
前記受信情報に基づいて前記基地局の前記仮想雑音指数の変化を判断することと、
前記基地局の前記仮想雑音指数が劣化した場合は前記端末の前記送信電力レベルを増加させることと、
前記基地局の前記仮想雑音指数が改善された場合は前記端末の前記送信電力レベルを減少させることと
を備える、前記[４４]に記載の方法。
【図１】
0005563029.tif 000018
【図２Ａ】
0005563029.tif 000019
【図２Ｂ】
0005563029.tif 000020
【図３】
0005563029.tif 000021
【図４】
0005563029.tif 000022
【図５】
0005563029.tif 000023
【図６】
0005563029.tif 000024
【図７】
0005563029.tif 000025
【図８】
0005563029.tif 000026
【図９】
0005563029.tif 000027
【図１０】
0005563029.tif 000028
【図１１】
0005563029.tif 000029
【図１２】
0005563029.tif 000030
【図１３】
0005563029.tif 000031